(57)【要約】      （修正有）【課題】細かい塵埃、病原菌、細菌等を除去することができ、赤ちゃんや病人の近くでも使用することができる電気掃除機を提供する。【解決手段】電気掃除機の本体吸気口１に連結した第１の集塵室２と、その第１の集塵室２に備えられた第１のフィルター１１と、前記第１の集塵室出口に設置された集塵モーター３と前記集塵モーター３の出口に設置され出口を漏斗状に設定された第２の集塵室４と、前記第２の集塵室４の前記漏斗状出口近傍に備えられ水を貯留するタンク５と、前記タンク５の中に備えられかつ先端が前記第２の集塵室４の前記漏斗状の出口で中心部に設置された細管７と、第２の集塵室４の出口に設置された第３の集塵室８と、前記第３の集塵室８の出口に設置された第２のフィルター１２と、第３の集塵室８の出口に設置された排出口１０と、前記排出口１０の近傍で電気掃除機本体下部に設けられた排水口９とを備えたものである。【選択図】図１
0003153442.tif 000002
【実用新案登録請求の範囲】
【請求項１】
電気掃除機の本体吸気口より連結した第１の集塵室と、前記第１の集塵室に備えられた第１のフィルターと、前記第１の集塵室出口に設置された集塵モーターと前記集塵モーターの出口に設置され出口を漏斗状に狭く設定された第２の集塵室と、前記第２の集塵室の前記漏斗状出口近傍に備えられ水を貯留するタンクと、前記水を貯留するタンクの中に備えられ、かつ先端が前記第２の集塵室の前記漏斗状の出口で最も狭い部分の概略中心部に設置された細管と、前記第２の集塵室の出口に設置された第３の集塵室と、前記第３の集塵室の出口に設置された第２のフィルターと、前記第３の集塵室の出口に設置された排出口と、前記排出口の近傍で電気掃除機本体下部に設けられた排水口とを備えたことを特徴とする電気掃除機。
【考案の詳細な説明】
【技術分野】
【０００１】
本考案は液体微粒子を噴霧して清掃を行う電気掃除機に関するものである。
【背景技術】
【０００２】
従来から液体微粒子を使って細かい塵埃を除去する液体微粒子発生装置を内蔵した電気掃除機についてはよく知られており、各種の電気掃除機が提案されている。（例えば、特許文献１参照。）
以下、従来の電気掃除機について図２を用いて説明する。
【０００３】
まず、送風室５２に内蔵された吸引ファンモータ５３が駆動することにより集塵ケース５４内を負圧状態にする。電気掃除機本体５１内のタンク５５に貯留された水Ａは送水ポンプ５６によって吸引され、ホース５７内のチューブ５８を通り床用吸込具６０内に設置されたスプレーノズル５９に高圧供給される。高圧供給された水Ａは、スプレーノズル５９から微粒子Ｂになって床面へ噴射される。
【０００４】
この際、微粒子Ｂは床面に付着している塵埃に衝突して塵埃を床面から剥がす。また微粒子Ｂに付着した大気中もしくは床面の細塵は、微粒子Ｂが蒸発する際に表面張力により引っ張られて凝集して大きくなり、大気中に舞い上がらずに床面に留まる。このようにして床面に溜まった塵埃は床用吸込具６０に吸引されてホース５７を通り、集塵ケース５４に回収される。 
【先行技術文献】
【特許文献】
【０００５】
【特許文献１】特開２００７−５４３５２号公報
【考案の概要】
【考案が解決しようとする課題】
【０００６】
しかしながら、前記従来の電気掃除機の構成では、床面にある細かい塵埃に水の微粒子を噴射し、蒸発したものを当該電気掃除機によって吸引するものであり、床面から離れた場所に浮遊している細かい塵埃で、充分な水の微粒子が付着しなかったものは、当該電気掃除機の吸引モーターによって集塵室に集められるというものであり、その集塵室に備えられている塵埃除去フィルターよりも大きい塵埃はフィルター内部にとどまるが、その塵埃除去フィルターよりも細かい塵埃は吸引モーターによる排気によって再び外部に排出されてしまう、また水の微粒子が付着し、当該電気掃除機の集塵室内に集められた塵埃も付着していた水の微粒子が完全に蒸発してなくなった場合、その集塵室の塵埃除去フィルターよりも細かい塵埃については上記と同様に吸引モーターによる排気によって再び外部に排出されてしまう、という課題を有していた。
【課題を解決するための手段】
【０００７】
上記記載の課題を解決するために本考案は、電気掃除機の本体吸気口より連結した第１の集塵室と、その第１の集塵室に備えられた少し粗めの第１のフィルターと、前記第１の集塵室出口に設置された集塵モーターと前記集塵モーターの出口に設置され出口を漏斗状に狭く設定された第２の集塵室と、前記第２の集塵室の前記漏斗状出口近傍に備えられ水を貯留するタンクと、前記水を貯留するタンクの中に備えられ、かつ先端が前記第２の集塵室の前記漏斗状の出口で最も狭い部分の概略中心部に設置された細管と、前記第２の集塵室の出口に設置された第３の集塵室と、前記第３の集塵室の出口に設置された第２のフィルターと、前記第３の集塵室の出口に設置された排出口と、前記排出口の近傍で電気掃除機本体下部に設けられた排水口とを備えたものである。
【考案の効果】
【０００８】
以上のように、本考案の電気掃除機によれば、電気掃除機によって吸引された塵埃のうち従来電気掃除機に備えられたフィルターを通り抜けて再度外部へ排出されていた細かい塵埃をも霧状の水を噴霧し当該細かい塵埃に細かい水を付着させてフィルターにより除去することができるため、細かい塵埃、病原菌、細菌等を除去することができ、その結果、赤ちゃんや病人の近くでも電気掃除機を使用することができる、という効果が得られるものである。
【図面の簡単な説明】
【０００９】
【図１】本考案の実施の形態における電気掃除機の概略構造図
【図２】従来の電気掃除機を表す概略図
【考案を実施するための形態】
【００１０】
以下、図面を参照して本考案の実施の形態に係る電気掃除機について説明する。
図１は本考案の実施の形態に係る電気掃除機の概略構造を表す図である。
図１において、電気掃除機の塵埃を吸引するノズルは、本体吸気口１に接続され、吸引された塵埃は第１の集塵室２に入って、第１のフィルター１１に入り、集塵モーター３により第２の集塵室４へ送られる。
【００１１】
第２の集塵室４から次に第３の集塵室８へ送られるがそのとき第２の集塵室４と第３の集塵室８の間は非常に狭く設定されており、かつ第２の集塵室４の出口は漏斗状に出口を進むほどより狭くなるよう設定されている。そのもっとも狭い部分の概略中心近傍に細管７の先端部が設けられ、その細管７の先端部とは異なる端部は水６を貯留したタンク５に接続されている。
【００１２】
第３の集塵室８に送られた塵埃は第２のフィルター１２を通って電気掃除機の本体排出口９から外部へ排出される。
【００１３】
以上のように構成された電気掃除機において、以下その動作について図１を用いて説明する。
【００１４】
電気掃除機の塵埃を吸引するノズルより吸引された塵埃は、本体吸気口１より電気掃除機本体に吸引され、第１の集塵室２から第１のフィルター１１入り、そこで第１のフィルター１１によって粒子の粗い大きい塵埃が取り除かれて、集塵モーター３により第２の集塵室４へ送られる。
【００１５】
第２の集塵室４から非常に狭く設定された漏斗状の出口を通って第３の集塵室８へ送られるが、そのときこの通路が非常に狭く設定されているため塵埃を含んだ空気の流れが非常に強いものとなっている。
そのため、狭い部分の概略中心近傍に水６を貯留したタンク５に接続された細管７の先端部が設けられていることからこの細管７の先端部からは毛管現象により吸い上げられた水６が気圧の変化により霧状に噴霧される。これにより、細かい塵埃に霧状に噴霧された水６が付着することになる。
【００１６】
次に第３の集塵室８に送られた霧状に噴霧された水６が付着した塵埃は第２のフィルター１２を通ることによってこのフィルターで塵埃が除去されて電気掃除機の本体排出口９から外部へ排出される。
【００１７】
これにより、第１のフィルター１１で除去できなかった細かい塵埃についてもこの第２のフィルターで除去することができるものである。この時、第２のフィルターで除去された塵埃には水６が付着しているため、第２のフィルターから水滴が落ちることとなり掃除機本体の下部に集められる。
【００１８】
この水滴がある程度以上貯まった場合には掃除機本体下部に設けられた排水口１０より外部に排出することができるものである。
【符号の説明】
【００１９】
１  電気掃除機の本体吸気口
２  第１の集塵室
３  集塵モーター
４  第２の集塵室
５  水を貯留するタンク
６  水
７  細管
８  第３の集塵室
９  排出口
１０  排水口
１１  第１のフィルター
１２  第２のフィルター
５１  従来の電気掃除機本体
５２  送風室
５３  吸引ファンモータ
５４  集塵ケース
５５  タンク
５６  送水ポンプ
５７  ホース
５８  チューブ
５９  スプレーノズル
６０  床用吸込具
Ａ  水
Ｂ  微粒子
【図１】
0003153442.tif 000003
【図２】
0003153442.tif 000004